(57)【要約】【課題】携帯端末の把持状態に応じた撮影のための制御を行う携帯端末を提供すること。【解決手段】携帯端末は、筐体と、撮像部と、筐体を把持する者による筐体との接触状態を検知する接触検知部と、接触検知部の検知結果に基づいて、筐体の把持状態を判別する把持状態判別部と、把持状態判別部が判別した筐体の把持状態に適した露光条件を撮像部に設定する露光条件設定部とを備える。【選択図】図４
2014007663.tif 000002
【特許請求の範囲】
【請求項１】
筐体と、
撮像部と、
前記筐体を把持する者による前記筐体との接触状態を検知する接触検知部と、
前記接触検知部の検知結果に基づいて、前記筐体の把持状態を判別する把持状態判別部と、
前記把持状態判別部が判別した前記筐体の把持状態に適した露光条件を前記撮像部に設定する露光条件設定部と、
を備えた携帯端末。
【請求項２】
請求項１に記載の携帯端末であって、
前記接触検知部は、
電気信号を出力する出力部と、
前記出力部から出力された電気信号を入力可能な入力部と、を有し、
前記筐体を把持する者が撮像を行う時の前記筐体との接触状態において、前記筐体を把持する者が片手で前記筐体を把持する時は、前記出力部及び前記入力部のいずれか一方が手に接触せず、前記筐体を把持する者が両手で前記筐体を把持する時は、前記出力部及び前記入力部の両方が手に接触する位置に、前記出力部及び前記入力部がそれぞれ前記筐体上に配置され、
前記把持状態判別部は、前記入力部に電気信号が入力されれば両手把持状態と判別し、前記入力部に電気信号が入力されなければ片手把持状態と判別する携帯端末。
【請求項３】
請求項１に記載の携帯端末であって、
前記接触検知部は、
電気信号を出力する出力部と、
前記出力部から出力された電気信号を入力可能な入力部と、を有し、
前記筐体を把持する者が撮像を行う時の前記筐体との接触状態において、前記筐体を把持する者が両手で前記筐体を把持する時は、前記出力部及び前記入力部がそれぞれ左右の異なる手に接触する位置に、前記出力部及び前記入力部がそれぞれ前記筐体上に配置され、
前記把持状態判別部は、前記入力部に入力された電気信号に前記筐体を把持する者の心臓の脈動に起因するノイズが含まれていれば両手把持状態と判別し、前記入力部に入力された電気信号に前記ノイズが含まれていなければ片手把持状態と判別する携帯端末。
【請求項４】
請求項２又は３に記載の携帯端末であって、
前記入力部に入力された電気信号に基づいて、前記筐体を把持する者のインピーダンス特性を解析するインピーダンス特性解析部を備え、
前記露光条件設定部は、前記インピーダンス特性解析部が解析したインピーダンス特性に対応する者に応じた露光条件を前記撮像部に設定する携帯端末。
【発明の詳細な説明】
【技術分野】
【０００１】
本発明は、携帯端末の把持状態に応じた撮像のための制御を行う携帯端末に関する。
【背景技術】
【０００２】
特許文献１の撮像装置は、ロックスイッチとリーズスイッチを含む第１シャッタスイッチ部およびロックスイッチとレリーズスイッチを含む第２シャッタスイッチ部のうちの、撮影時に操作されたスイッチ部の操作結果および／または姿勢検出部としての加速度センサの検出結果に応じて補正特性を変更して、補正用アクチュエータ等に対する手振れ補正制御を行うぶれ補正制御部を有する。
【０００３】
特許文献２の撮像装置は、システムコントローラにより与えられる状態検出部の検出結果、並びに、ロックスイッチとリーズスイッチを含む第１シャッタスイッチ部およびロックスイッチとレリーズスイッチを含む第２シャッタスイッチ部のうちの、撮影時に操作されたスイッチ部の操作結果および／または加速度センサの検出結果に応じて補正特性を変更して、補正用アクチュエータ等に対する手振れ補正制御を行うぶれ補正制御部を有する。
【先行技術文献】
【特許文献】
【０００４】
【特許文献１】特許第４３８３３７０号公報
【特許文献２】特許第４２８８２４６号公報
【発明の概要】
【発明が解決しようとする課題】
【０００５】
近年の撮像機能付き携帯端末は小型軽量化されているため、ユーザによる当該携帯端末の持ち方によっては撮像時の手ぶれ（camera shake）が大きくなる。上記説明した特許文献１，２の撮像装置では撮影姿勢に応じた振れ補正を行っているが、手ぶれが大きいと十分に補正されない可能性がある。このため、撮像時の手ぶれが大きいと予測される場合には予め何らかの対策がとられていることが望ましい。
【０００６】
本発明の目的は、携帯端末の把持状態に応じた撮影のための制御を行う携帯端末を提供することである。
【課題を解決するための手段】
【０００７】
本発明は、筐体と、撮像部と、前記筐体を把持する者による前記筐体との接触状態を検知する接触検知部と、前記接触検知部の検知結果に基づいて、前記筐体の把持状態を判別する把持状態判別部と、前記把持状態判別部が判別した前記筐体の把持状態に適した露光条件を前記撮像部に設定する露光条件設定部と、を備えた携帯端末を提供する。
【０００８】
上記携帯端末では、前記接触検知部は、電気信号を出力する出力部と、前記出力部から出力された電気信号を入力可能な入力部と、を有し、前記筐体を把持する者が撮像を行う時の前記筐体との接触状態において、前記筐体を把持する者が片手で前記筐体を把持する時は、前記出力部及び前記入力部のいずれか一方が手に接触せず、前記筐体を把持する者が両手で前記筐体を把持する時は、前記出力部及び前記入力部の両方が手に接触する位置に、前記出力部及び前記入力部がそれぞれ前記筐体上に配置され、前記把持状態判別部は、前記入力部に電気信号が入力されれば両手把持状態と判別し、前記入力部に電気信号が入力されなければ片手把持状態と判別する。
【０００９】
上記携帯端末では、前記接触検知部は、電気信号を出力する出力部と、前記出力部から出力された電気信号を入力可能な入力部と、を有し、前記筐体を把持する者が撮像を行う時の前記筐体との接触状態において、前記筐体を把持する者が両手で前記筐体を把持する時は、前記出力部及び前記入力部がそれぞれ左右の異なる手に接触する位置に、前記出力部及び前記入力部がそれぞれ前記筐体上に配置され、前記把持状態判別部は、前記入力部に入力された電気信号に前記筐体を把持する者の心臓の脈動に起因するノイズが含まれていれば両手把持状態と判別し、前記入力部に入力された電気信号に前記ノイズが含まれていなければ片手把持状態と判別する。
【００１０】
上記携帯端末では、前記入力部に入力された電気信号に基づいて、前記筐体を把持する者のインピーダンス特性を解析するインピーダンス特性解析部を備え、前記露光条件設定部は、前記インピーダンス特性解析部が解析したインピーダンス特性に対応する者に応じた露光条件を前記撮像部に設定する。
【発明の効果】
【００１１】
本発明に係る携帯端末によれば、携帯端末の把持状態に応じた露光条件を予め撮像部に設定しておくことができる。
【図面の簡単な説明】
【００１２】
【図１】第１の実施形態の携帯端末を示す外観図
【図２】ユーザが携帯端末１００を片手で把持した状態を示す図
【図３】ユーザが携帯端末１００を両手で把持した状態を示す図
【図４】第１の実施形態の携帯端末１００の内部構成を示すブロック図
【図５】第１の実施形態の携帯端末１００の動作を示すフローチャート
【図６】左側面にのみ電極を有した携帯端末を示す外観図
【図７】裏面にも電極を有した携帯端末を示す外観図
【図８】第２の実施形態の携帯端末２００の内部構成を示すブロック図
【図９】ユーザが携帯端末２００を両手で把持した状態を示す図
【図１０】ユーザが携帯端末２００を片手で把持した状態を示す図
【図１１】第２の実施形態の携帯端末２００の動作を示すフローチャート
【図１２】第３の実施形態の携帯端末３００の内部構成を示すブロック図
【図１３】第３の実施形態の携帯端末３００の動作を示すフローチャート
【発明を実施するための形態】
【００１３】
以下、本発明の実施形態について、図面を参照して説明する。なお、以下説明する実施形態の携帯端末はカメラ機能を有する。
【００１４】
（第１の実施形態）
図１は、第１の実施形態の携帯端末を示す外観図である。図１に示すように、第１の実施形態の携帯端末１００は、正面にディスプレイ１０１を有する。携帯端末１００のディスプレイ１０１には図示しないタッチパネルが重ねて配置されている。また、携帯端末１００は、筐体１０５の長手方向を上下方向とした場合、筐体１０５の上側に近い裏面にカメラのレンズ１０３を有する。以下の説明では、ディスプレイ１０１が配置された正面とその裏面をつなぐ面を「側面」といい、正面に対して右側の側面を「右側面」、左側の側面を「左側面」という。
【００１５】
携帯端末１００は、携帯端末１００の把持状態を検出するために用いられる２つの電極１０７Ｒ１，１０７Ｒ２を筐体１０５の右側面に有する。図１に示すように、一方の電極１０７Ｒ１は右側面の上側に配置され、他方の電極１０７Ｒ２は右側面の下側に配置される。どちらの電極も、筐体１０５の右側面から外部に露出した状態で配置されている。電極１０７Ｒ１，１０７Ｒ２の詳細については後述する。
【００１６】
また、携帯端末１００は、電極１０７Ｒ１，１０７Ｒ２と同様の２つの電極１０７Ｌ１，１０７Ｌ２を筐体１０５の左側面に有する。図１に示すように、一方の電極１０７Ｌ１は左側面の上側に配置され、他方の電極１０７Ｌ２は左側面の下側に配置される。どちらの電極も、筐体１０５の左側面から外部に露出した状態で配置されている。電極１０７Ｌ１，１０７Ｌ２の詳細については後述する。
【００１７】
ユーザは、図１に示した携帯端末１００を主に手で持って使用する。例えば、図２に示すように、ユーザは、筐体１０５の長手方向を縦向きにディスプレイ１０１が手前となるよう携帯端末１００を片手で把持する。また、図３に示すように、ユーザは、筐体１０５の長手方向を横向きにディスプレイ１０１が手前となるよう携帯端末１００を両手で把持する場合もある。なお、ユーザは、図２又は図３に示した態勢を維持可能なクレードルに置いた状態で携帯端末１００を使用しても良い。
【００１８】
筐体１０５の右側面に配置された電極１０７Ｒ１からは微弱電流が出力される。電極１０７Ｒ１から出力された微弱電流は、ユーザの手等の導体を介して電極１０７Ｒ２に入力される。同様に、筐体１０５の左側面に配置された電極１０７Ｌ１からは、携帯端末１００を把持する被検体のインピーダンス特性を検出するための微弱電流が出力される。電極１０７Ｌ１から出力された微弱電流は、ユーザの手等の導体を介して電極１０７Ｌ２に入力される。
【００１９】
図２に示す携帯端末１００が片手で把持された状態では、筐体１０５の左右側面の下側の電極１０７Ｒ２，１０７Ｌ２にのみユーザの指が接触している。この状態では、左右側面の上側の電極から下側の電極の間は導通していない。一方、図３に示す携帯端末１００が両手で把持された状態では、筐体１０５の左右側面の全ての電極にユーザの指が接触している。この状態では、右側面の上側の電極１０７Ｒ１からユーザを介して下側の電極１０７Ｒ２に微弱電流が流れ、同様に、左側面の上側の電極１０７Ｌ１からユーザを介して下側の電極１０７Ｌ２に微弱電流が流れる。
【００２０】
図４は、第１の実施形態の携帯端末１００の内部構成を示すブロック図である。図１に示すように、第１の実施形態の携帯端末１００は、上記説明した電極１０７Ｒ１，１０７Ｒ２，１０７Ｌ１，１０７Ｌ２と、上記説明したディスプレイ１０１と、加速度センサー１１１と、操作部１１３、制御部１１５と、撮像部１１７と、メモリ１１９とを備える。
【００２１】
加速度センサー１１１は、携帯端末１００の姿勢の変化に応じた加速度値を検出する。
【００２２】
操作部１１３は、タッチパネル１２１と、キー入力部１２３とを有する。
【００２３】
制御部１１５は、図４に示すように、手ぶれ検出部１３１と、微弱電流出力処理部１３３と、把持状態判別部１３５と、カメラ機能処理部１３７とを有する。以下、制御部１１５を構成する各構成要素について説明する。
【００２４】
手ぶれ検出部１３１は、カメラ機能処理部１３７から撮像部１１７への撮像指示時に得られる加速度センサー１１１からの信号に基づいて、撮像時の手ぶれを検出する。手ぶれ検出部１３１は、手ぶれの有無を示す信号を把持状態判別部１３５及びカメラ機能処理部１３７に送る。また、手ぶれ検出部１３１は、加速度センサー１１１からの信号に基づく加速度値の変位量を示すデータ（以下「手ぶれデータ」という）をメモリ１１９に格納する。このとき、手ぶれ検出部１３１は、手ぶれの程度を示す値と対に、把持状態判別部１３５が判別した携帯端末１００の把持状態をメモリ１１９に格納しても良い。
【００２５】
微弱電流出力処理部１３３は、電極１０７Ｒ１，１０７Ｌ１から微弱電流を出力するよう処理する。
【００２６】
把持状態判別部１３５は、電極１０７Ｒ２，１０７Ｌ２に入力される信号の有無に基づいて、携帯端末１００の把持状態を判別する。本実施形態では、電極１０７Ｒ２及び電極１０７Ｌ２の少なくともいずれかにしきい値以上の信号が入力されているとき、把持状態判別部１３５は、携帯端末１００が両手で把持された状態と判別する。一方、電極１０７Ｒ２及び電極１０７Ｌ２のいずれにもしきい値以上の信号が入力されていないとき、把持状態判別部１３５は、携帯端末１００が片手で把持された状態又は手で把持されていない状態と判別する。さらに、把持状態判別部１３５は、電極１０７Ｒ２，１０７Ｌ２にしきい値以上の信号が入力されておらず、かつ、手ぶれ検出部１３１から手ぶれ有りを示す信号が送られているとき、携帯端末１００が片手で把持された状態と判別する。一方、把持状態判別部１３５は、電極１０７Ｒ２，１０７Ｌ２にしきい値以上の信号が入力されておらず、かつ、手ぶれ検出部１３１から手ぶれ無しを示す信号が送られているとき、携帯端末１００が手で把持されておらずクレードル等に置かれた状態と判別する。把持状態判別部１３５は、判別結果をカメラ機能処理部１３７及び撮像部１１７に送る。
【００２７】
カメラ機能処理部１３７は、操作部１１３に対して行われたカメラ機能の開始操作に応じて撮像部１１７を起動する。また、カメラ機能処理部１３７は、操作部１１３に対して行われたシャッター押下操作に応じて、撮像するよう撮像部１１７に指示する。また、カメラ機能処理部１３７は、撮像部１１７によって撮像された画像をディスプレイ１０１に表示する。また、カメラ機能処理部１３７は、ディスプレイ１０１に表示した撮像画像の内、操作部１１３を介して指示された画像のデータをメモリ１１９に格納する。さらに、カメラ機能処理部１３７は、把持状態判別部１３５から得られた判別結果を撮像部１１７に送る。
【００２８】
撮像部１１７は、上記説明したレンズ１０３と、イメージセンサー１４１と、画像処理部１４３と、露光条件設定部１４５とを有する。以下、撮像部１１７を構成する各構成要素について説明する。
【００２９】
イメージセンサー１４１は、レンズ１０３を透過した光を光電変換する固体撮像素子である。画像処理部１４３は、イメージセンサー１４１から得られた画像データを処理する。
【００３０】
露光条件設定部１４５は、制御部１１５の把持状態判別部１３５による判別結果に応じて、イメージセンサー１４１における露光条件を撮像前に設定する。本実施形態の露光条件には、ＩＳＯ感度（ゲイン）と露光時間とが含まれる。露光条件設定部１４５は、例えば、携帯端末１００が片手で把持された状態と判別されたときの露光条件に含まれるＩＳＯ感度を１６００、露光時間を６０ｍ秒に設定し、携帯端末１００が両手で把持された状態と判別されたときの露光条件に含まれるＩＳＯ感度を８００、露光時間を１００ｍ秒に設定する。このように、露光条件設定部１４５は、片手での携帯端末１００の把持状態（以下「片手把持状態」という）ではＩＳＯ感度を高くかつ露光時間を短く設定し、両手での携帯端末１００の把持状態（以下「両手把持状態」という）ではＩＳＯ感度を低くかつ露光時間を長く設定する。
【００３１】
なお、露光条件設定部１４５は、携帯端末１００が手で把持されておらずクレードル等に置かれた状態（以下「載置状態」という）と判別されたときの露光条件を、上記説明した携帯端末１００が両手で把持された状態と判別されたときの露光条件と同様に設定する。
【００３２】
図５は、第１の実施形態の携帯端末１００の動作を示すフローチャートである。なお、図５に示すフローチャートは、制御部１１５の把持状態判別部１３５による携帯端末１００の把持状態の判別と、その判別結果に応じた撮像部１１７の露光条件設定部１４５による露光条件の設定について説明する。
【００３３】
図５に示すように、把持状態判別部１３５は、電極１０７Ｒ２，１０７Ｌ２にしきい値以上の信号が入力されたか否かに応じて、携帯端末１００の把持状態を判別する（ステップＳ１０１）。電極１０７Ｒ２及び電極１０７Ｌ２の少なくともいずれかにしきい値以上の信号が入力された場合、把持状態判別部１３５は、携帯端末１００が両手把持状態と判別し、ステップＳ１０３に進む。一方、電極１０７Ｒ２及び電極１０７Ｌ２のいずれにもしきい値以上の信号が入力されない場合、把持状態判別部１３５は、携帯端末１００が片手把持状態又は載置状態と判別し、ステップＳ１０５に進む。
【００３４】
ステップＳ１０５では、把持状態判別部１３５は、制御部１１５の手ぶれ検出部１３１からの信号に応じて、携帯端末１００の把持状態を判別する。手ぶれ検出部１３１からの信号が手ぶれ有りを示す場合、把持状態判別部１３５は、携帯端末１００が片手把持状態と判別し、ステップＳ１０７に進む。一方、手ぶれ検出部１３１からの信号が手ぶれ無しを示す場合、把持状態判別部１３５は、携帯端末１００が載置状態と判別し、ステップＳ１０９に進む。
【００３５】
ステップＳ１０３では、露光条件設定部１４５は、イメージセンサー１４１における露光条件を両手把持状態での条件（低いＩＳＯ感度、長い露光時間）に設定する。ステップＳ１０７では、露光条件設定部１４５は、イメージセンサー１４１における露光条件を片手把持状態での条件（高いＩＳＯ感度、短い露光時間）に設定する。ステップＳ１０９では、露光条件設定部１４５は、イメージセンサー１４１における露光条件を載置状態での条件（低いＩＳＯ感度、長い露光時間）に設定する。
【００３６】
以上説明したように、本実施形態では、携帯端末１００の把持状態に応じて、撮像時の露光条件が撮像前に予め設定される。また、設定される露光条件は携帯端末１００の把持状態に基づく姿勢の安定度に応じて異なり、両手把持状態では画質を重視した露光条件に設定され、片手把持状態では手ぶれの影響を受けにくい露光条件に設定される。このように、ユーザが自ら設定を変更することなく、携帯端末１００の把持状態に適した撮像が可能となる。本実施形態は、携帯端末１００の筐体１０５の長手方向のサイズが、ユーザが携帯端末１００を縦方向に手で把持したときに、上下の電極の両方が手と接触しない大きさである場合に適する。
【００３７】
なお、図１に示した携帯端末１００は、筐体１０５の左右側面にそれぞれ電極を有するが、図６に示すように、筐体１０５の左側面にのみ電極１０７Ｌ１，１０７Ｌ２を有した構成であっても良い。
【００３８】
また、図７に示すように、筐体１０５の裏面の右下に、電極１０７Ｌ２と同様の電極１０９が設けられていても良い。電極１０９には、電極１０７Ｌ１から出力されユーザの手等の導体を介した微弱電流が入力される。
【００３９】
また、電極１０７Ｒ１，１０７Ｒ２，１０７Ｌ１，１０７Ｌ２は微弱電流の入出力端子であるが、各電極の位置に圧力センサーを代わりに設けても良い。この場合、各圧力センサーの出力信号は制御部１１５の把持状態判別部１３５に入力され、把持状態判別部１３５は、各圧力センサーからの信号に基づいて、携帯端末の把持状態を判別する。また、電極又は圧力センサーを設けず、ディスプレイ１０１に近接タッチパネルを重ねて配置すれば、当該近接タッチパネルが検知したユーザの手等の近接状況に基づいて、携帯端末の把持状態を判別しても良い。
【００４０】
（第２の実施形態）
第２の実施形態の携帯端末２００の外観は、図１に示した第１の実施形態の携帯端末１００と同様である。また、第２の実施形態の携帯端末２００が第１の実施形態の携帯端末１００と異なる点は、制御部の把持状態判別部による携帯端末の把持状態の判別方法である。図８は、第２の実施形態の携帯端末２００の内部構成を示すブロック図である。図８では、第１の実施形態の携帯端末１００の構成要素と同じ構成要素には同じ参照符号が付されている。
【００４１】
第２の実施形態の携帯端末２００が備える制御部２１５の把持状態判別部２３５は、電極１０７Ｒ２，１０７Ｌ２に入力される信号の有無に加え、電極１０７Ｒ２，１０７Ｌ２に入力された信号に心臓の脈動に起因するノイズが含まれるか否かに基づいて、携帯端末２００の把持状態を判別する。本実施形態では、電極１０７Ｒ２及び電極１０７Ｌ２の少なくともいずれかにしきい値以上の信号が入力されており、かつ、当該信号に上記ノイズが含まれているとき、把持状態判別部２３５は、携帯端末２００が両手で把持された状態と判別する。例えば、携帯端末１００が両手で把持された状態では、図９に示すように、右側面の上側の電極１０７Ｒ１からユーザの胴体を介して下側の電極１０７Ｒ２に微弱電流が流れ、同様に、左側面の上側の電極１０７Ｌ１からユーザの胴体を介して下側の電極１０７Ｌ２に微弱電流が流れる。このため、電極１０７Ｒ２，１０７Ｌ２に入力される信号には、ユーザの心臓の脈動に起因するノイズが混入する。
【００４２】
また、電極１０７Ｒ２及び電極１０７Ｌ２の少なくともいずれかにしきい値以上の信号が入力されているが、当該信号に上記ノイズが含まれていないとき、把持状態判別部２３５は、携帯端末２００が片手で把持された状態と判別する。なお、第１の実施形態と同様に、電極１０７Ｒ２及び電極１０７Ｌ２のいずれにもしきい値以上の信号が入力されていないとき、把持状態判別部２３５は、携帯端末２００が片手で把持された状態又は手で把持されていない状態と判別する。例えば、携帯端末２００が片手で把持された状態では、図１０に示すように、携帯端末２００の大きさ及びユーザによる把持の仕方によっては、上側の電極と下側の電極のどちらも手が接触して、上側の電極から下側の電極に微弱電流が流れる。しかし、微弱電流が流れる経路にはユーザの胴体が含まれない。このため、電極１０７Ｒ２，１０７Ｌ２に入力される信号には、心臓の脈動に起因するノイズがほとんど混入しない。
【００４３】
図１１は、第２の実施形態の携帯端末２００の動作を示すフローチャートである。図５と同様に、図１１に示すフローチャートは、制御部２１５の把持状態判別部２３５による携帯端末２００の把持状態の判別と、その判別結果に応じた撮像部１１７の露光条件設定部１４５による露光条件の設定について説明する。図１１では、図５に示したステップと同じステップには同じ参照符号が付されている。
【００４４】
図１１に示すように、把持状態判別部２３５は、電極１０７Ｒ２，１０７Ｌ２にしきい値以上の信号が入力されたか否かを判別する（ステップＳ２０１）。電極１０７Ｒ２及び電極１０７Ｌ２の少なくともいずれかにしきい値以上の信号が入力された場合はステップＳ２０３に進む。一方、電極１０７Ｒ２及び電極１０７Ｌ２のいずれにもしきい値以上の信号が入力されない場合、把持状態判別部２３５は、第１の実施形態と同様に、携帯端末２００が片手把持状態又は載置状態と判別し、ステップＳ１０５に進む。
【００４５】
ステップＳ２０３では、把持状態判別部２３５は、電極１０７Ｒ２，１０７Ｌ２に入力された信号に心臓の脈動に起因するノイズが含まれるか否かを判別する。信号に当該ノイズが含まれれば、把持状態判別部２３５は、携帯端末１００が両手把持状態と判別し、ステップＳ１０３に進む。一方、信号に当該ノイズが含まれなければ、把持状態判別部２３５は、携帯端末２００が片手把持状態と判別し、ステップＳ１０７に進む。
【００４６】
以上説明したように、本実施形態では、電極１０７Ｒ１，１０７Ｌ１から出力された微弱電流が電極１０７Ｒ２，１０７Ｌ２に入力された場合において、電極１０７Ｒ２，１０７Ｌ２に入力された信号にユーザの心臓の脈動に起因するノイズが混入しているか否かに応じて、携帯端末１００の把持状態が判別される。したがって、ユーザが携帯端末２００を縦方向に手で把持したときに上下の電極が手と接触していても、携帯端末２００の把持状態を確実に判別できる。
【００４７】
（第３の実施形態）
第３の実施形態の携帯端末３００の外観は、図１に示した第１の実施形態の携帯端末１００と同様である。図１２は、第３の実施形態の携帯端末３００の内部構成を示すブロック図である。また、第３の実施形態の携帯端末３００が第１の実施形態の携帯端末１００と異なる点は、制御部３１５がインピーダンス特性解析部３３９をさらに有する点と、撮像部３１７の露光条件設定部３４５による露光条件の設定方法と、手ぶれ検出部３３１によるメモリ１１９へのデータの格納方法である。図１２では、第１の実施形態の携帯端末１００の構成要素と同じ構成要素には同じ参照符号が付されている。
【００４８】
インピーダンス特性解析部３３９は、電極１０７Ｒ２，１０７Ｌ２に入力された信号に基づいて、携帯端末３００を把持するユーザのインピーダンス特性を解析する。さらに、インピーダンス特性解析部３３９は、メモリ１１９に予め格納されたデータから、解析したインピーダンス特性に対応したユーザを特定する。インピーダンス特性解析部３３９は、特定したユーザを撮像部３１７の露光条件設定部３４５、手ぶれ検出部３３１及びカメラ機能処理部１３７に通知する。
【００４９】
露光条件設定部３４５は、インピーダンス特性解析部３３９から通知されたユーザに対応する両手把持状態での露光条件をメモリ１１９から読み出す。メモリ１１９には、異なるユーザ毎に、両手把持状態と判別された場合の露光条件が格納されている。露光条件設定部３４５は、制御部３１５の把持状態判別部１３５による判別結果に応じて、メモリ１１９から読み出した露光条件を撮像前に設定する。
【００５０】
手ぶれ検出部３３１は、インピーダンス特性解析部３３９によってユーザが特定された場合、撮像時には、インピーダンス特性解析部３３９が特定したユーザに手ぶれデータを紐付けてメモリ１１９に格納する。
【００５１】
図１３は、第３の実施形態の携帯端末３００の動作を示すフローチャートである。図１３に示すフローチャートは、制御部３１５の把持状態判別部１３５による携帯端末２００の把持状態の判別と、その判別結果に応じた撮像部３１７の露光条件設定部３４５による露光条件の設定と、撮像部３１７による撮像とについて説明する。図１３では、図５に示したステップと同じステップには同じ参照符号が付されている。
【００５２】
図１３に示すように、把持状態判別部１３５は、電極１０７Ｒ２，１０７Ｌ２にしきい値以上の信号が入力されたか否かに応じて、携帯端末３００の把持状態を判別する（ステップＳ１０１）。電極１０７Ｒ２及び電極１０７Ｌ２の少なくともいずれかにしきい値以上の信号が入力された場合、把持状態判別部１３５は、携帯端末３００が両手把持状態と判別し、ステップＳ３０１に進む。一方、電極１０７Ｒ２及び電極１０７Ｌ２のいずれにもしきい値以上の信号が入力されない場合、把持状態判別部１３５は、携帯端末３００が片手把持状態又は載置状態と判別し、ステップＳ１０５に進む。ステップＳ１０５の後は、第１の実施形態と同様に、ステップＳ１０７又はステップＳ１０９を行い、撮像部３１７が撮像を行う（ステップＳ３０９）。
【００５３】
ステップＳ３０１では、インピーダンス特性解析部３３９は、携帯端末３００を把持するユーザのインピーダンス特性を解析して、当該ユーザを特定する。次に、露光条件設定部３４５は、特定したユーザに対応する両手把持状態での露光条件をメモリ１１９から読み出して、当該露光条件を設定する（ステップＳ３０３）。ステップＳ３０３の後、撮像部３１７が撮像を行う（ステップＳ３０５）と、制御部３１５の手ぶれ検出部３３１は、加速度センサー１１１から得られた信号に基づく手ぶれデータを前記特定したユーザに紐付けてメモリ１１９に格納する（ステップＳ３０７）。
【００５４】
以上説明したように、本実施形態によれば、ユーザが携帯端末３００を両手で把持したときにはインピーダンス特性に基づく個人認証によってユーザが特定され、当該ユーザに適した露光条件が設定される。また、撮像時に得られた手ぶれデータとユーザとが紐付けてメモリ１１９に格納されるため、メモリ１１９に蓄積されたユーザ毎の手ぶれデータに基づいて最適な露光条件を設定することができる。
【００５５】
なお、本実施形態は、第１の実施形態の構成及び方法との比較に基づいて説明したが、第２の実施形態の構成及び方法にインピーダンス特性の解析及びユーザの特定、並びに、特定されたユーザに基づく露光条件の設定を行っても良い。
【産業上の利用可能性】
【００５６】
本発明に係る携帯端末は、携帯端末の把持状態に応じた撮像のための制御を行う携帯端末等として有用である。
【符号の説明】
【００５７】
１００，２００，３００  携帯端末
１０１  ディスプレイ
１０３  レンズ
１０５  筐体
１０７Ｒ１，１０７Ｒ２，１０７Ｌ１，１０７Ｌ２  電極
１１１  加速度センサー
１１３  操作部
１１５，２１５，３１５  制御部
１１７，３１７  撮像部
１１９  メモリ
１２１  タッチパネル
１２３  キー入力部
１３１，３３１  手ぶれ検出部
１３３  微弱電流出力処理部
１３５，２３５  把持状態判別部
１３７  カメラ機能処理部
１４１  イメージセンサー
１４３  画像処理部
１４５，３４５  露光条件設定部
３３９  インピーダンス特性解析部
【図１】
2014007663.tif 000003
【図２】
2014007663.tif 000004
【図３】
2014007663.tif 000005
【図４】
2014007663.tif 000006
【図５】
2014007663.tif 000007
【図６】
2014007663.tif 000008
【図７】
2014007663.tif 000009
【図８】
2014007663.tif 000010
【図９】
2014007663.tif 000011
【図１０】
2014007663.tif 000012
【図１１】
2014007663.tif 000013
【図１２】
2014007663.tif 000014
【図１３】
2014007663.tif 000015